(57)【要約】  広帯域無線通信システムにおけるシステム情報の送受信のための装置及び方法が提供される。広帯域無線通信システムにおける基地局の動作は、システム情報の更新に応じて変更される変更カウント（ｃｈａｎｇｅ  ｃｏｕｎｔ）の以前値に対応されるシステム構成を適用するか否かを判断する過程と、前記変更カウントの以前値に対応されるシステム構成を適用する場合、適用されるシステム構成を示すパラメータを第１値として設定する過程と、前記変更カウントの現在値に対応されるシステム構成を適用する場合、前記パラメータを第２値として設定される過程と、前記変更カウント及び前記第１値または前記第２値として設定された前記パラメータを含むＰ−ＳＦＨ（Ｐｒｉｍａｒｙ−Ｓｕｐｅｒ  Ｆｒａｍｅ  Ｈｅａｄｅｒ）を送信する過程と、を含む。
2013509018.tif 000002
【特許請求の範囲】
【請求項１】
広帯域無線通信システムにおける基地局の動作方法において、
システム情報の更新によって変更される変更カウント（ｃｈａｎｇｅ  ｃｏｕｎｔ）の以前値に対応されるシステム構成を適用するか否かを判断する過程と、
前記変更カウントの以前値に対応されるシステム構成を適用する場合、適用されるシステム構成を示すパラメータを第１値として設定する過程と、
前記変更カウントの現在値に対応されるシステム構成を適用する場合、前記パラメータを第２値として設定する過程と、
前記変更カウント及び前記第１値及び前記第２値として設定された前記パラメータを含むＰ−ＳＦＨ（Ｐｒｉｍａｒｙ−Ｓｕｐｅｒ  Ｆｒａｍｅ  Ｈｅａｄｅｒ）を送信する過程と、を含むことを特徴とする方法。
【請求項２】
Ｓ−ＳＦＨ（Ｓｅｃｏｎｄａｒｙ−Ｓｕｐｅｒ  Ｆｒａｍｅ  Ｈｅａｄｅｒ）のＳＰ（ＳｕｂＰａｃｋｅｔ）のうち少なくとも一つが更新されると、前記変更カウントを増加させる過程と、
更新された少なくとも一つのＳＰを識別するための変更ビットマップ（ｃｈａｎｇｅ  ｂｉｔｍａｐ）から前記更新された少なくとも一つのＳＰに対応される少なくとも一つのビットを変更する過程と、
前記変更カウント及び前記変更ビットマップを含むＰ−ＳＦＨを送信する過程と、を更に含むことを特徴とする請求項１に記載の方法。
【請求項３】
前記変更カウント及び前記変更ビットマップを含むＰ−ＳＦＨを送信したスーパーフレームヘッダを介して前記更新された少なくとも一つのＳＰを送信する過程を更に含むことを特徴とする請求項２に記載の方法。
【請求項４】
前記変更カウント及び前記変更ビットマップを含むＰ−ＳＦＨを送信して少なくとも一つのスーパーフレーム経過の後、前記更新された少なくとも一つのＳＰを送信する過程を更に含むことを特徴とする請求項２に記載の方法。
【請求項５】
Ｓ−ＳＦＨのＳＰのうち複数のＳＰが更新されると、前記変更カウントを増加させる過程と、
更新された少なくとも一つのＳＰを識別するための変更ビットマップから前記複数のＳＰに対応される複数のビットを変更する過程と、
前記変更カウント及び前記変更ビットマップを含むＰ−ＳＦＨを送信する過程と、
複数のスーパーフレームにかけて前記複数のＳＰをスーパーフレーム当り一つずつ送信する過程と、を更に含むことを特徴とする請求項１に記載の方法。
【請求項６】
前記複数のＳＰの送信が完了された後、前記パラメータを前記第２値として設定する過程と、
前記第２値として設定された前記パラメータを含むＰ−ＳＦＨを送信する過程と、を更に含むことを特徴とする請求項５に記載の方法。
【請求項７】
前記変更カウントの以前値に対応されるシステム構成を適用するか否かを判断する過程は、
前記基地局に接続された端末が更新されたＳＰｘを全て受信したという条件、前記変更カウントが増加した後に少なくとも一つの更新されたＳＰｘの送信がＮ回以上あったという条件、及び前記変更カウントの増加から所定個数のスーパーフレームが経過したという条件のうち少なくとも一つに満足する場合、前記変更カウントの現在値に対応するシステム構成を適用することを決定する過程を含むことを特徴とする請求項１に記載の方法。
【請求項８】
請求項１乃至請求項７のうちいずれか一つの方法によって構成された基地局装置。
【請求項９】
広帯域無線通信システムにおける端末の動作方法において、
スーパーフレームヘッダを介して受信されるＰ−ＳＦＨ（Ｐｒｉｍａｒｙ−Ｓｕｐｅｒ  Ｆｒａｍｅ  Ｈｅａｄｅｒ）に含まれた適用のシステム構成を示すパラメータの値及びシステム情報の更新に応じて変更される変更カウントの値を確認する過程と、
前記パラメータの値が第１値である場合、前記変更カウントの以前値に対応されるシステム構成を適用して通信を行う過程と、
前記パラメータの値が第２値である場合、前記変更カウントの現在値に対応されるシステム構成を適用して通信を行う過程と、を含むことを特徴とする方法。
【請求項１０】
Ｓ−ＳＦＨ（Ｓｅｃｏｎｄａｒｙ−Ｓｕｐｅｒ  Ｆｒａｍｅ  Ｈｅａｄｅｒ）のＳＰ（ＳｕｂＰａｃｋｅｔ）のうち一つが受信されると、前記ＳＰをデコーディング（ｄｅｃｏｄｉｎｇ）する過程と、
前記ＳＰを前記変更カウントの値によって分類してセーブする過程と、を更に含むことを特徴とする請求項９に記載の方法。
【請求項１１】
前記Ｐ−ＳＦＨに含まれた変更カウントの値が増加した場合、前記Ｐ−ＳＦＨに含まれた変更ビットマップ（ｃｈａｎｇｅ  ｂｉｔｍａｐ）を利用してＳ−ＳＦＨのＳＰのうち更新された少なくとも一つのＳＰを識別する過程と、
前記Ｐ−ＳＦＨに含まれたスケジューリング情報ビットマップを介して前記更新された少なくとも一つのＳＰが送信されたかを確認する過程と、を更に含むことを特徴とする請求項１０に記載の方法。
【請求項１２】
前記パラメータの値が第２値である場合、前記変更カウントの現在値に対応されるＳＰを全てセーブしたかを確認する過程と、
前記現在値に対応されるＳＰを全てセーブしてない場合、前記現在値に対応されるＳＰを全てセーブするまで通信を中断する過程と、を含むことを特徴とする請求項９に記載の方法。
【請求項１３】
請求項９乃至請求項１２のうちいずれか一つの方法によって構成された端末装置。
【請求項１４】
広帯域無線通信システムにおける端末の動作方法において、
スーパーフレームヘッダを介して受信されるＰ−ＳＦＨ（Ｐｒｉｍａｒｙ−Ｓｕｐｅｒ  Ｆｒａｍｅ  Ｈｅａｄｅｒ）に含まれたシステム情報の更新に応じて変更される変更カウントを確認する過程と、
前記変更カウントの値が増加した場合、前記Ｐ−ＳＦＨに含まれた変更ビットマップ（ｃｈａｎｇｅ  ｂｉｔｍａｐ）を利用してＳ−ＳＦＨのＳＰのうち更新された少なくとも一つのＳＰを識別する過程と、
前記変更された少なくとも一つのＳＰの送信時点を決定する過程と、
前記ＳＰの送信時点を利用して前記変更カウントの現在値に対応されるシステム構成を適用されるスーパーフレームを決定する過程と、
前記スーパーフレームが到来すると、前記変更カウントの現在値に対応されるシステム構成を適用して通信を行う過程と、を含むことを特徴とする方法。
【請求項１５】
Ｓ−ＳＦＨ（Ｓｅｃｏｎｄａｒｙ−Ｓｕｐｅｒ  Ｆｒａｍｅ  Ｈｅａｄｅｒ）のＳＰ（ＳｕｂＰａｃｋｅｔ）のうち一つが受信されると、前記ＳＰをデコーディング（ｄｅｃｏｄｉｎｇ）する過程と、
前記ＳＰを前記変更カウントの値によって分類してセーブする過程と、を更に含むことを特徴とする請求項１４に記載の方法。
【請求項１６】
前記変更カウントの現在値に対応されるシステム構成が適用されるスーパーフレームを決定する過程は、
前記更新された少なくとも一つのＳＰがＳＰ１またはＳＰ２である場合、前記変更カウントが増加された後に前記ＳＰ１またはＳＰ２が２回の送信が完了されるスーパーフレームの次のスーパーフレームを前記変更カウントの現在値に対応されるシステム構成が適用されるスーパーフレームに決定する過程と、
前記更新された少なくとも一つのＳＰがＳＰ３である場合、前記変更カウントが増加された後に前記ＳＰ３が１回の送信が完了されるスーパーフレームの次のスーパーフレームを前記変更カウントの現在値に対応されるシステム構成が適用されるスーパーフレームに決定する過程と、を含むことを特徴とする請求項１４に記載の方法。
【請求項１７】
請求項１４乃至請求項１６のうちいずれか一つの方法によって構成された端末装置。
【発明の詳細な説明】
【技術分野】
【０００１】
本発明は、広帯域無線通信システムに関するものである。特に、本発明は広帯域無線通信システムにおいてシステム情報を送受信するための装置及びその方法に関するものである。
【背景技術】
【０００２】
今の移動通信システムは、既存の音性通信を主とする形から放送マルチメディア映像、マルチメディアメッセージなどの多様なサービスを提供する形に発展している。このような次世代通信システムとしては、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅシステムと現在標準化が進められている３ＧＰＰ  ＬＴＥ（Ｌｏｎｇ  Ｔｅｒｍ  Ｅｖｏｌｕｔｉｏｎ）ＩＥＥＥ  ８０２．２０  ＵＭＢ（Ｕｌｔｒａ  Ｍｏｂｉｌｅ  Ｂｒｏａｄｂａｎｄ）、そしてＩＥＥＥ  ８０２．１６ｍシステムなどがある。
【０００３】
前記移動通信システムにおいて高速のデータ送信速度を支援するために、多重アンテナシステム、ＨＡＲＱ（Ｈｙｂｒｉｄ  Ａｕｔｏ  Ｒｅｐｅａｔ  ｒｅＱｕｅｓｔ）、適応変調コーディング（ＡＭＣ：Ａｄａｐｔｉｖｅ  Ｍｏｄｕｌａｔｉｏｎ  ａｎｄ  Ｃｏｄｉｎｇ）など多様な転送技法が導入される。この転送技法が運営されるためには、基地局は複数のユーザ端末へ多量のシステム情報を送信しなければならない。システム情報はユーザ端末がセル（Ｃｅｌｌ）内で移動通信を行うために必須的に知るべきネットワークとセルの共通情報を含む。例えば、前記情報はセルの帯域幅情報、物理チャンネル（Ｐｈｙｓｉｃａｌ  Ｃｈａｎｎｅｌ）の構成情報、上位レイヤー（Ｌａｙｅｒ）のパラメータなどの情報とセルで支援される多様な転送技法の情報、例えば、転送アンテナの個数、多数アンテナの情報、ＨＡＲＱ関連情報、変調方式情報などを含む。
【０００４】
無線通信標準規格のうち一つであるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍ標準によると、システム情報はＰ−ＳＦＣ（Ｐｒｉｍａｒｙ−Ｓｕｐｅｒ  Ｆｒａｍｅ  Ｈｅａｄｅｒ）及びＳ−ＳＦＨ（Ｓｅｃｏｎｄａｒｙ−Ｓｕｐｅｒ  Ｆｒａｍｅ  Ｈｅａｄｅｒ）の形に送信される。前記Ｓ−ＳＦＨはＳＰ１（ＳｕｂＰａｃｋｅｔ１）、ＳＰ２及びＳＰ３に分けられ、前記ＳＰ１、前記ＳＰ２及び前記ＳＰ３の転送周期はお互い異なり得る。前記Ｐ−ＳＦＨは同じフレームでＳ−ＳＦＨが送信されるか、送信されたらどのＳＰであるか、大きさは幾らであるかを知らせる情報を含む。また、前記Ｐ−ＳＦＨはＳ−ＳＦＨ変更カウント（ｃｈａｎｇｅ  ｃｏｕｎｔ）及びＳ−ＳＦＨ  ＳＰ変更ビットマップ（ｃｈａｎｇｅ  ｂｉｔｍａｐ）を用いてシステム情報の変更を示し、Ｓ−ＳＦＨスケジューリング情報ビットマップ（ｓｈｅｄｕｌｉｎｇ  ｉｎｆｏｒｍａｔｉｏｎ  ｂｉｔｍａｐ）を用いて同じフレームで送信されるＳＰがどれなのかを知らせる。
【０００５】
前記Ｓ−ＳＦＨ変更カウントは、送信されるＳＰとマッピング（ｍａｐｐｉｎｇ）される。例えば、Ｓ−ＳＦＨ変更カウントがＮである場合、送信されるＳＰ１、ＳＰ２及びＳＰ３は「Ｓ−ＳＦＨ  Ｃｈａｎｇｅ  Ｃｏｕｎｔ＝Ｎ」状態のシステムパラメータを含む。よって、前記変更カウントが変更されることは、Ｓ−ＳＦＨのＳＰのうち少なくとも一つが更新されたことを意味する。Ｓ−ＳＦＨ  ＳＰ変更ビットマップは、どのＳＰが変更されたかを示す。また、各ＳＰｘは変更されたＳＰの使用が開始されるスーパーフレームオフセットを指示する２ビットのオフセットパラメータを含み、前記オフセットパラメータを介して変更された新しい構成（ｃｏｎｆｉｇｕｒａｔｉｏｎ）がいつ適用されたかを知らせる。よって、端末は新しいＳＰｘを受信した後、前記ＳＰｘ内の前記オフセットパラメータによって指示されるスーパーフレームで新しいパラメータを適用する。
【０００６】
Ｐ−ＳＦＨに含まれた変更カウント及び変更ビットマップは、システム情報が更新され、どのＳＰが更新されたかを知らせる。しかし、端末が前記Ｐ−ＳＦＨを受信することでシステム情報の更新及び更新されたＳＰを認知したとしても、チャンネル劣化、スリップモード（ｓｌｅｅｐ  ｍｏｄｅ）などの動作状態によって更新されたＳＰｘを受信できない場合、更新されたＳＰｘの適用視点（a time point of application）を分からなくて通信を中断するしかない。これによって、前記端末は前記該当ＳＰｘを成功的にデコーディング（ｄｅｃｏｄｉｎｇ）するときまで通信を行うことはできない。よって、更新されたＳＰｘを受信できなくとも、更新されたＳＰｘの適用視点を認知することで、更新されたシステム情報の適用前まで端末が通信を行われうるようにするための対案が必要である。
【発明の概要】
【課題を解決するための手段】
【０００７】
本発明の目的は、上述の問題及び短所を解決するためのものであり、以下のような利点のうち少なくとも一つを提供する。よって、本発明の目的は、広帯域無線通信システムにおいて更新されたシステム情報の適用視点を知らせるための装置及びその方法を提供することにある。
【０００８】
本発明の他の目的は、広帯域無線通信システムにおいて、スーパーフレーム毎に送信されるＩＥ（Ｉｎｆｏｒｍａｔｉｏｎ  Ｅｌｅｍｅｎｔ）を介して更新されたシステム情報の適用視点を知らせるための装置及びその方法を提供することにある。
【０００９】
本発明のまた他の目的は、広帯域無線通信システムにおいて同時に複数のシステム情報のＳＰ（ＳｕｂＰａｃｋｅｔ）を更新するための装置及びその方法を提供することにある。
【００１０】
上述の目的は、広帯域無線通信システムにおいてシステム情報を送受信する装置及びその方法を提供することで達成することができる。
【００１１】
上記の目的を達成すべく、本発明の第１見地によれば、広帯域無線通信システムにおける基地局の動作方法が提供される。前記方法は、システム情報の更新に応じて変更される変更カウント（ｃｈａｎｇｅ  ｃｏｕｎｔ）の以前値（ｐｒｅｖｉｏｕｓ  ｖａｌｕｅ）に対応するシステム構成を適用するか否かを判断する過程と、前記変更カウントの以前値に対応するシステム構成を適用する場合、適用されるシステム構成を示すパラメータを第１値として設定する過程と、前記変更カウントの現在値に対応されるシステム構成を適用する場合、前記パラメータを第２値として設定する過程と、前記変更カウント及び前記第１値または前記第２値として設定された前記パラメータを含むＰ−ＳＦＨ（Ｐｒｉｍａｒｙ−Ｓｕｐｅｒ  Ｆｒａｍｅ  Ｈｅａｄｅｒ）を送信する過程と、を含む。
【００１２】
上記の目的を達成すべく、本発明の第２見地によれば、広帯域無線通信システムにおける端末の動作方法が提供される。前記方法は、スーパーフレームヘッダを介して受信されるＰ−ＳＦＨに含まれた適用されるシステム構成を示すパラメータの値及びシステム情報の更新によって変更される変更カウントの値を確認する過程と、前記パラメータの値が第１値である場合、前記変更カウントの以前値に対応されるシステム構成を適用して通信を行う過程と、前記パラメータの値が第２値である場合、前記変更カウントの現在値に対応されるシステム構成を適用して通信を行う過程と、を含む。
【００１３】
上記の目的を達成すべく、本発明の第３見地によれば、広帯域無線通信システムにおける端末の動作方法が提供される。前記方法は、スーパーフレームヘッダを介して受信されるＰ−ＳＦＨに含まれたシステム情報の更新によって変更される変更カウントを確認する過程と、前記変更カウントの値が増加した場合、前記Ｐ−ＳＦＨに含まれた変更ビットマップを用いてＳ−ＳＦＨのＳＰのうち更新された少なくとも一つのＳＰを識別する過程と、前記更新された少なくとも一つのＳＰの送信視点を決定する過程と、前記ＳＰの送信視点を利用して前記変更カウントの現在値に対応されるシステム構成が適用されるスーパーフレームを決定する過程と、前記スーパーフレームが到来すると、前記変更カウントの現在値に対応されるシステム構成を適用して通信を行う過程と、を含む。
【００１４】
上記の目的を達成すべく、本発明の第４見地によれば、広帯域無線通信システムにおける基地局装置が提供される。前記装置は、システム情報の更新によって変更される変更カウントの以前値に対応されるシステム構成を適用するか否かを判断した後、前記変更カウントの以前値に対応されるシステム構成を適用する場合、適用されるシステム構成を示すパラメータを第１値として設定し、前記変更カウントの現在値に対応されるシステム構成を適用する場合、前記パラメータを第２値として設定する決定機と、前記変更カウント及び前記第１値または前記第２値として設定された前記パラメータを含むＰ−ＳＦＨを送信する送信機と、を含む。
【００１５】
上記の目的を達成すべく、本発明の第５見地によれば、広帯域無線通信システムにおける端末装置が提供される。前記装置は、スーパーフレームヘッダを介して受信されるＰ−ＳＦＨに含まれた適用されるシステム構成を示すパラメータの値及びシステム情報の更新によって変更される変更カウントの値を確認する管理機と、前記パラメータの値が第１値である場合、前記変更カウントの以前値に対応されるシステム構成を適用して通信を行って、前記パラメータの値が第２値である場合、前記変更カウントの現在値に対応されるシステム構成を適用して通信を行う制御機と、を含む。
【００１６】
上記の目的を達成すべく、本発明の第６見地によれば、広帯域無線通信システムにおける端末装置が提供される。前記装置は、スーパーフレームヘッダを介して受信されるＰ−ＳＦＨに含まれたシステム情報の更新によって変更される変更カウントを確認し、前記変更カウントの値が増加した場合、前記Ｐ−ＳＦＨに含まれた変更ビットマップを利用してＳ−ＳＦＨのＳＰのうち更新された少なくとも一つのＳＰを識別し、前記更新された少なくとも一つのＳＰの送信視点を決定した後、前記ＳＰの送信視点を利用して前記変更カウントの現在値に対応されるシステム構成が適用されるスーパーフレームを決定する管理機と、前記スーパーフレームが到来すると、前記変更カウントの現在値に対応されるシステム構成を適用して通信を行う制御機と、を含む。
【００１７】
本発明の他の見地、利益、主な特徴は、以下の添付した本発明の実施例及び図面と共に説明される詳細な説明により当業者にとって明白に認識されるはずである。
【００１８】
本発明の実施例による本発明の上述の見地（ａｓｐｅｃｔ）及び他の見地、特徴、利益は、以下のような図面と共に説明される詳細な説明から自明に認識されるはずである。
【図面の簡単な説明】
【００１９】
【図１】本発明の実施例による広帯域無線通信システムにおけるフレーム構造の例を示す図である。
【図２】本発明の実施例による広帯域無線通信システムにおけるシステム情報の送信時点を示す図である。
【図３】本発明の実施例による広帯域無線通信システムにおけるシステム情報の送信時点を示す図である。
【図４】本発明の実施例による広帯域無線通信システムにおけるシステム情報の送信時点を示す図である。
【図５】本発明の実施例による広帯域無線通信システムにおける基地局のシステム情報送信の手順を示す図である。
【図６】本発明の実施例による広帯域無線通信システムにおける端末のシステム情報獲得の手順を示す図である。
【図７】本発明の実施例による広帯域無線通信システムにおける基地局のブロック構成を示す図である。
【図８】本発明の実施例による広帯域無線通信システムにおける端末のブロック構成を示す図である。
【発明を実施するための形態】
【００２０】
前記図面において、図面符号は同じであるか類似した要素、特徴、構造を説明するために使用される。
【００２１】
以下、図面を参考した説明は、特許請求の範囲及びこれと同等なものにより定義される本発明の実施例の包括的な理解を助けるために提供される。以下の説明は、理解を助けるために多様な具体的な細部事項を含むが、単なる例示として取り扱われるのみである。従って、本発明の思想や範囲を逸脱しない範囲内で実施例の多様な変形及び修正が可能であるというのはもちろんである。また、広く知られている機能及び構造の説明は、明確性のために省略する。
【００２２】
以下、本発明は、広帯域無線通信システムで更新されたシステム情報の適用時点を知らせるための技術に対して説明する。以下、本発明は周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下「ＯＦＤＭ」と称する）／直交周波数分割多重接続（Ｏｒｔｈｏｇｏｎａｌ  Ｆｒｅｑｕｅｎｃｙ  Ｄｉｖｉｔｉｏｎ  Ｍｕｌｔｉｐｌｅ  Ａｃｃｅｓｓ、以下「ＯＦＤＭＡ」と称する）方式の無線通信システムを例として説明し、他の方式の無線通信システムにも適用され得る。
【００２３】
図１は、本発明による広帯域無線通信システムにおけるフレーム構造の例を図示している。
【００２４】
前記図１に示すように、スーパーフレーム１００は、複数のフレーム１１０に分けられ、前記フレーム１１０は、複数のＯＦＤＭシンボル１３０で構成されたサブフレーム１２０に分けられる。前記スーパーフレーム１００の中で第１フレームの第１サブフレームは、スーパーフレームヘッダ（ｓｕｐｅｒ−ｆｒａｍｅ  ｈｅａｄｅｒ）１４０を含み、前記スーパーフレームヘッダ１４０は同期チャンネル及び共通制御チャンネルなどを含む。前記スーパーフレームヘッダ１４０は、端末が前記該当基地局との通信を行うために必ず必要するシステム情報を送信するための領域である。前記システム情報は、Ｐ−ＳＦＨ（Ｐｒｉｍａｒｙ−Ｓｕｐｅｒ  Ｆｒａｍｅ  Ｈｅａｄｅｒ）及びＳ−ＳＦＨ（Ｓｅｃｏｎｄａｒｙ−Ｓｕｐｅｒ  Ｆｒａｍｅ  Ｈｅａｄｅｒ）に分けられ、前記Ｓ−ＳＦＨはＳＰ（ＳｕｂＰａｃｋｅｔ）１、ＳＰ２及びＳＰ３に分けられる。以下に説明の便宜上、本発明は前記ＳＰ１、前記ＳＰ２及び前記ＳＰ３を通称してＳＰｘと称する。
【００２５】
前記Ｐ−ＳＦＨは前記スーパーフレームヘッダ１４０に常に含められ、前記ＳＰｘは選択的に含まれる。例えば、各ＳＰｘは該当周期によって送信される。前記ＳＰｘが含まれる場合、前記ＳＰｘは前記Ｐ−ＳＦＨによって占有された資源に接して位置した資源にマッピングされる。よって、端末は前記Ｐ−ＳＦＨに含まれたＳＰｘの大きさ情報を利用してフレーム中で前記ＳＰｘを抽出することができる。前記Ｐ−ＳＦＨ及び各ＳＰｘは、含まれるパラメータの種類に応じて区別され、各ＩＥ（Ｉｎｆｏｒｍａｔｉｏｎ  Ｅｌｅｍｅｎｔ）の具体的なパラメータの構成は、本発明の実施者の意図によって異なることもある。例えば、前記Ｐ−ＳＦＨ及び各ＳＰｘに含まれるパラメータは、下記＜表１＞乃至下記＜表４＞と同様である。下記＜表１＞は前記Ｐ−ＳＦＨに含まれるパラメータ、前記＜表２＞は前記ＳＰ１に含まれるパラメータ、前記＜表３＞は前記ＳＰ２に含まれるパラメータ、前記＜表４＞は前記ＳＰ３に含まれるパラメータの例を示す。
【００２６】
【表１】
2013509018.tif 000003
【００２７】
【表２】
2013509018.tif 000004
【００２８】
【表３】
2013509018.tif 000005
【００２９】
【表４】
2013509018.tif 000006
【００３０】
本発明の実施例による基地局は、前記Ｐ−ＳＦＨ内に構成転換フラグ（ＣＴＦ：Ｃｏｎｆｉｇｕｒａｔｉｏｎ  Ｔｒａｎｓｉｔｉｏｎ  Ｆｌａｇ）を含ませる。前記構成転換フラグは、変更カウント（Ｓ−ＳＦＨ  ｃｈａｎｇｅ  ｃｏｕｎｔ）の現在値に対応されるシステム構成（ｓｙｓｔｅｍ  ｃｏｎｆｉｇｕｒａｔｉｏｎ）の適用可否を示すパラメータであって、下記＜表５＞のように定義される。前記構成転換フラグは、具体的な実施例によって他の名称と呼ばれ得る。例えば、前記構成転換フラグは、Ｓ−ＳＦＨ適用保留指示子（ａｐｐｌｉｃａｔｉｏｎ  ｈｏｌｄ  ｉｎｄｉｃａｔｏｒ）と呼ばれてもよい。
【００３１】
【表５】
2013509018.tif 000007
【００３２】
変更カウントの現在値が「Ｎ」であって前記構成転換フラグが「０」である場合、端末は変更カウント「Ｎ」に対応されるシステム構成、つまり、現在送信されているシステム情報によるシステム構成を適用する。一方、変更カウントの現在値が「Ｎ」であって前記構成転換フラグが「１」である場合、端末は変更カウント「Ｎ−１」に対応されるシステム構成、つまり、変更カウントが「Ｎ−１」である際に送信されたシステム情報によるシステム構成を適用する。
【００３３】
前記Ｐ−ＳＦＨが前記構成転換フラグを含むことによって、以下のようにシステム情報の送受信が行われる。
【００３４】
図２乃至図４は、本発明の実施例による広帯域無線通信システムにおけるシステム情報の送信時点を図示している。図２は、変更カウンタの増加と共に更新されたＳＰｘが送信される場合を図示している。
【００３５】
前記図２に示すように、第１区間２１１で変更カウントは「Ｎ」であり、変更ビットマップは「０ｂ０００」である。この際、構成転換フラグは「０」であるので、変更カウントの現在値に対応されるＳＰｘによるシステム構成が適用される。それで、新しく基地局に進入（ｅｎｔｒｙ）する端末は、現在送信されるＳＰｘを受信し、受信されたＳＰｘによるシステム構成を適用する。
【００３６】
第２区間２１２でＳＰ２の更新しよって前記変更カウントは「Ｎ＋１」になり、前記変更ビットマップは「０ｂ０１０」になる。ここで、前記ＳＰ２の更新によって前記変更ビットマップの第２ビットが「１」に変更されたことは、ＳＰｘの更新を知らせる規則に従う結果である。この前記規則とは、更新されたＳＰｘに対応されるビットをトグル（ｔｏｇｇｌｅ）させること及び更新されたＳＰｘに対応されるビットの値を「１」に設定することのうち一つである。前記変更カウントが増加されたので、端末はシステム情報が更新されていることを認知し、前記変更ビットマップを介してＳＰ２が更新されていることを判断する。また、前記変更カウントが増加した時点のフレームを介して前記ＳＰ２が送信されるので、前記端末は前記ＳＰ２をデコーディング（ｄｅｃｏｄｉｎｇ）することで更新されたシステム情報を獲得してこれをセーブする。ただ、前記構成転換フラグが「１」であるので、現在適用のシステム構成は変更カウントが「Ｎ」である際のシステム情報に従う。よって、前記端末はセーブされたＳＰ２を適用されず、前記第１区間２１１で受信されたＳＰ２をシステム構成に反映する。
【００３７】
第３区間２１３でシステム情報は更新されないが、構成転換フラグが「０」に変更される。これによって、端末は前記第２区間２１２で変更されたシステム情報に従うシステム構成が適用されることを認知し、前記第２区間２１２で受信及びセーブしたＳＰ２を適用する。前記図２に示すように、前記第３区間２１３で前記構成転換フラグは「０」に変更されたが、前記変更ビットマップは「０ｂ０１０」を維持し続ける。しかし、本発明の他の実施例によって、前記変更ビットマップは前記構成転換フラグが「０」に変更されると共に「０ｂ０００」に初期化され得る。
【００３８】
前記図２に示すように、実施例で前記変更カウントの現在値に対応されるシステム構成は、前記構成転換フラグが「０」に変更された時点に適用される。しかし、本発明の他の実施例によって、前記変更カウントの現在値に対応されるシステム構成は、前記構成転換フラグが「０」に変更された時点から一定個数のスーパーフレーム経過の後、例えば、次のスーパーフレームから適用され得る。
【００３９】
図３は、変更カウンタの増加の後、更新されたＳＰｘが送信される場合を図示している。前記図３に示すように、第１区間２２１で変更カウントは「Ｎ」であり、変更ビットマップは「０ｂ０００」である。この際、構成転換フラグは「０」であるので、変更カウントの現在値に対応されるＳＰｘによるシステム構成が適用される。それで、新しく基地局に進入する端末は、現在送信されるＳＰｘを受信し、受信されたＳＰｘによるシステム構成を適用する。
【００４０】
第２区間２２２でＳＰ２の更新によって前記変更カウントは「Ｎ＋１」になり、前記変更ビットマップは「０ｂ０１０」になる。前記ＳＰ２の更新に従って前記変更ビットマップの第２ビットが「１」に変更されたことは、ＳＰｘの更新を知らせる規則に従う結果である。この前記規則とは、更新されたＳＰｘに対応されるビットをトグル（ｔｏｇｇｌｅ）させること及び更新されたＳＰｘに対応されるビットの値を「１」に設定することのうちの一つである。前記変更カウントが増加したので、端末はシステム情報が更新されたことを認知し、前記変更ビットマップを介してＳＰ２が更新されたことを判断する。しかし、前記図２の場合と違って前記変更カウントが増加した時点のフレームを介して更新されたＳＰ２は送信されない。しかし、前記構成転換フラグが「１」であるので、現在適用されるシステム構成は、変更カウントが「Ｎ」である際のシステム情報によって適用される。よって、前記端末は前記ＳＰ２の受信可否と関係なく、前記第１区間２２１で受信されたＳＰ２をシステム構成に反映する。前記変更カウント及び前記変更ビットマップが変更されて数個のスーパーフレームが経過した後、前記ＳＰ２が送信される。これによって、前記端末は前記ＳＰ２をデコーディングすることで更新されたシステム情報を獲得し、これをセーブする。この際、前記構成転換フラグは「１」に維持されているので、前記端末はセーブされたＳＰ２を適用しなくて前記第１区間２２１で受信されたＳＰ２を適用する。
【００４１】
第３区間２２３で、システム情報は更新されないが、構成転換フラグが「０」に変更される。これによって、端末は前記第２区間２２２で変更されたシステム情報によるシステム構成が適用されることを認知し、前記第２区間２２２で受信及びセーブしたＳＰ２を適用する。前記図３に示すように、前記第３区間２２３で前記構成転換フラグは「０」に変更されたが、前記変更ビットマップは「０ｂ０１０」を維持し続ける。しかし、本発明の他の実施例によって、前記変更ビットマップは前記構成転換フラグが「０」に変更されると共に「０ｂ０００」に初期化され得る。
【００４２】
前記図３に示すように、実施例で前記変更カウントの現在値に対応されるシステム構成は、前記構成転換フラグが「０」に変更された時点に適用される。しかし、本発明の他の実施例によって、前記変更カウントの現在値に対応されるシステム構成は、前記構成転換フラグが「０」に変更された時点から一定個数のスーパーフレーム経過の後、例えば、次のスーパーフレームから適用され得る。
【００４３】
図４は、変更カウンタの増加の後、更新されたＳＰｘが送信される場合を図示している。前記図４に示すように、第１区間２３１で変更カウントは「Ｎ」であり、変更ビットマップは「０ｂ０００」である。この際、構成転換フラグは「０」であるので、変更カウントの現在値に対応されるＳＰｘによるシステム構成が適用される。それで、新しく基地局に進入する端末は、現在送信されるＳＰｘを受信し、受信されたＳＰｘによるシステム構成を適用する。
【００４４】
第２区間２３２でＳＰ１、ＳＰ２及びＳＰ３の更新によって、前記変更カウントは「Ｎ＋１」になり、前記変更ビットマップは「０ｂ１１１」になる。ここで、前記ＳＰ１、前記ＳＰ２及び前記ＳＰ３の更新によって前記変更ビットマップの第１、第２及び第３ビットが「１」に変更されたことは、ＳＰｘの更新を知らせる規則に従う結果である。この前記規則とは、更新されたＳＰｘに対応されるビットをトグルさせること及び更新されたＳＰｘに対応されるビットの値を「１」に設定することのうちの一つである。前記変更カウントが増加したので、端末はシステム情報が更新されたことを認知して、前記変更ビットマップを介して前記ＳＰ１、前記ＳＰ２及び前記ＳＰ３が更新されたことを判断する。この際、前記変更カウントが増加した時点のフレームを介して前記ＳＰ１のみが送信され、前記ＳＰ２及び前記ＳＰ３は送信されない。しかし、前記構成転換フラグが「１」であるので、現在適用されるシステム構成は、変更カウントが「Ｎ」である際のシステム情報によって適用される。よって、前記端末は前記ＳＰ１をデコーディング及びセーブし、前記ＳＰ２及び前記ＳＰ３の受信可否と関係なく、前記第１区間２３１で受信されたＳＰｘをシステム構成に反映する。前記変更カウント及び前記変更ビットマップが変更され数個のスーパーフレーム経過の後、前記ＳＰ２及び前記ＳＰ３が順次に送信される。これによって、前記端末は前記ＳＰ２及び前記ＳＰ３をデコーディングすることで更新されたシステム情報を獲得し、これをセーブする。この際、前記構成転換フラグは「１」に維持されているので、前記端末はセーブされたＳＰｘを適用しなくて前記第１区間２３１で受信されたＳＰｘを適用する。
【００４５】
第３区間２３３で、システム情報は更新されないが、構成転換フラグが「０」に変更される。これによって、端末は前記第２区間２３２で変更されたシステム情報によるシステム構成が適用されることを認知し、前記第２区間２３２で受信及びセーブしたＳＰｘを適用する。前記図４に示すように、前記第３区間２３３で前記構成転換フラグは「０」に変更されたが、前記変更ビットマップは「０ｂ１１１」を維持し続ける。しかし、本発明の他の実施例によって、前記変更ビットマップは前記構成転換フラグが「０」に変更されると共に「０ｂ０００」に初期化され得る。
【００４６】
前記図４に示すように、実施例で前記変更カウントの現在値に対応されるシステム構成は、前記構成転換フラグが「０」に変更された時点に適用される。しかし、本発明の他の実施例によって、前記変更カウントの現在値に対応されるシステム構成は、前記構成転換フラグが「０」に変更された時点から一定個数のスーパーフレーム経過の後、例えば、次のスーパーフレームから適用され得る。
【００４７】
前記図２乃至前記図４を参考に説明した手順において基地局は一定区間の間、変更カウント以前値に対応されるシステム構成を適用することを決定する。ここで、前記変更カウントの以前値に対応されるシステム構成を適用するか否かに対する判断基準は、本発明の実施者の意図によって異なり得る。
【００４８】
例えば、前記変更カウントの以前値に対応されるシステム構成を適用するか否かは、前記基地局に接続された端末が更新されたＳＰｘを全て受信したか否かによって判断され得る。この場合、前記基地局は、スリップモード（ｓｌｅｅｐ  ｍｏｄｅ）またはアイドルモード（ｉｄｌｅ  ｍｏｄｅ）端末のリスニング（ｌｉｓｔｅｎｉｎｇ）区間の分布及び更新されたＳＰｘの送信時点を利用して前記変更カウントの以前値に対応されるシステム構成の適用可否を判断し得る。よって、更新されたＳＰｘの送信時点のうち、少なくとも一つに全ての端末がリスニング区間を有していると、前記基地局は前記変更カウントの現在値に対応されるシステム構成を適用することを決定する。
【００４９】
他の例として、前記変更カウント及び前記変更ビットマップが変更されたスーパーフレームから少なくとも一つの更新されたＳＰｘが送信されない場合、前記変更カウントの以前値に対応されるシステム構成を適用するか否かは、前記少なくとも一つの更新されたＳＰｘの送信が完了されたか否かによって判断され得る。この場合、前記基地局は前記少なくとも一つの更新されたＳＰｘの送信が完了された後、前記変更カウントの現在値に対応されるシステム構成を適用することを決定する。具体的に、前記基地局は、更新されたＳＰｘが１回または２回の送信完了の後、次のスーパーフレームから変更されたカウントの現在値に対応されるシステム構成を適用し得る。この際、前記基地局はＳＰｘの種類に応じて送信回数を異なって適用してもよい。例えば、ＳＰ１またはＳＰ２が変更された場合、前記基地局は更新されたＳＰ１またはＳＰ２が２回の送信を完了した後、変更されたカウントの現在値に対応されるシステム構成を適用してもよく、ＳＰ３が変更された場合、前記基地局は更新されたＳＰ３が１回の送信が行われた後に変更されたカウントの現在値に対応されるシステム構成を適用してもよい。この際、複数のＳＰｘが変更された場合、前記基地局は各ＳＰｘによる適用時点のうち、最も遅れる適用時点で変更されたカウントの現在値に対応されるシステム構成を適用することが好ましい。
【００５０】
また他の例として、前記変更カウントの以前値に対応されるシステム構成を適用するか否かは、前記変更カウントの増加から所定個数のスーパーフレームが経過されたか否かによって判断され得る。この場合、前記基地局は前記所定個数のスーパーフレームが経過されないとしたら、前記変更カウントの以前値に対応されるシステム構成を適用することを決定する。
【００５１】
さらに他の例として、前記変更カウントの増加と共に前記変更カウントの現在値に対応されるシステム構成が適用され得る。この際、前記基地局は前記変更カウントが増加されたスーパーフレームから前記変更カウントの現在値に対応されるシステム構成を適用することを決定し、これによって前記構成転換フラグを「０」に設定する。
【００５２】
上述したように、変更されたカウントの現在値が対応されるシステム構成を適用する時点は、多様な方式によって決定され得る。上述した実施例のうち更新されたＳＰｘの１回または２回の送信完了可否に従う方式、所定個数のスーパーフレームの経過可否に従う方式、変更カウント増加と共に適用する方式などの場合などのように、端末も変更カウントの現在値に対応されるシステム構成が適用される時点を自ら判断できる場合がある。この場合、前記端末は前記構成転換フラグを参考せずに自ら判断した時点で変更カウントの現在値に対応されるシステム構成を適用してもよい。
【００５３】
例えば、更新されたＳＰｘの送信可否に従う方式の場合を説明すると以下のようである。ＳＰｘ、つまり、ＳＰ１、ＳＰ２、ＳＰ３各々は、各周期によって一定スーパーフレーム間隔に送信されるので、端末はスーパーフレーム番号及び各ＳＰｘの送信周期を利用して該当ＳＰｘが受信されるスーパーフレームを計算し得る。よって、端末は変更ビットマップを介して更新されたＳＰｘを認識し、前記ＳＰｘの送信時点を計算した後、前記ＳＰｘが送信されたスーパーフレームの次のスーパーフレームから変更カウントの現在値に対応されるシステム構成を適用する。具体的に、変更ビットマップが「０ｂ０１０」である場合、端末は前記変更ビットマップを介してＳＰ２が更新されたと判断する。そして、前記端末は現在スーパーフレーム番号及び前記ＳＰ２の送信周期を利用して次のＳＰ２の送信時点を計算し、更新されたＳＰ２が２回の送信が完了されたスーパーフレームの次のスーパーフレームから前記更新されたＳＰ２を反映した変更カウントの現在値に対応されるシステム構成を適用する。
【００５４】
以下、本発明は上述したように、システム情報を送受信する基地局及び端末の動作及び構成を図面を参考して詳しく説明する。
【００５５】
図５は、本発明の実施例による広帯域無線通信システムにおける基地局のシステム情報送信の手順を図示している。
【００５６】
前記図５に示すように、前記基地局はステップ３０１でスーパーフレームの開始時点が到来しているかを確認する。言い換えると、前記基地局はスーパーフレームヘッダを送信しなければならない時点が到来しているかを確認する。
【００５７】
前記スーパーフレームの開始時点が到来した場合、前記基地局はステップ３０３に進めて、システム情報の更新が必要であるかを確認する。ここで、前記システム情報はＰ−ＳＦＨ及びＳ−ＳＦＨを含み、前記Ｓ−ＳＦＨは複数のＳＰｘに分けられる。例えば、前記システム情報の更新は、副チャネル定義方式（ｓｕｂｃｈａｎｎｅｌｉｚａｔｉｏｎ）レンジ方式、マップ（ｍａｐ）バージョンなどシステム設定の変更によって構成される。即ち、前記基地局はシステム設定の変更によって前記スーパーフレームヘッダを介して送信されるＳＰｘの更新が必要であるかを判断する。
【００５８】
前記システム情報の更新が必要であれば、前記基地局はステップ３０５に進めて該当ＳＰｘを更新する。即ち、前記基地局は、変更のシステム設定を反映するパラメータを含むＳＰｘを更新する。この際、一つまたは複数のＳＰｘが更新され得る。
【００５９】
前記ＳＰｘを更新した後、前記基地局はステップ３０７に進めて変更カウント及び変更ビットマップを変更する。前記変更カウント及び前記変更ビットマップは、前記Ｐ−ＳＦＨに含まれるパラメータである。前記変更カウントは、ＳＰｘの更新可否を示し、前記変更ビットマップは更新されたＳＰｘを指示する。前記変更カウントは、ＳＰｘの更新によって値が増加し、更新されるＳＰｘの個数と関係なく更新回数のみによって増加する。前記変更ビットマップは、システムで使用されるＳＰｘの個数ほどの長さを有するビット列であって、ＳＰｘ更新の際に更新されたＳＰｘに対応される位置の値が変更される。
【００６０】
前記変更カウント及び前記変更ビットマップを変更した後、前記基地局はステップ３０９に進めて変更カウントの以前値に対応されるシステム構成を適用するか否かを判断する。ここで、前記変更カウントの以前値に対応されるシステム構成を適用するか否かに対する判断基準は、具体的な実施例によって異なり得る。例えば、前記基地局に接続された端末が更新されたＳＰｘを全て受信したという条件、前記変更カウントが増加した後に少なくとも一つの更新されたＳＰｘの送信がＮ回以上あったという条件、及び前記変更カウントの増加から所定個数のスーパーフレームが経過したという条件のうち少なくとも一つによって、前記変更カウントの以前値に対応されるシステム構成を適用するか否かを判断する。即ち、前記条件のうち少なくとも一つに満足する場合、前記基地局は前記変更カウントの現在値に対応されるシステム構成を適用することを決定する。
【００６１】
もし、前記変更カウントの以前値に対応されるシステム構成を適用しようとする場合、前記基地局はステップ３１１に進めて適用されるシステム構成を示すパラメータ、例えば、構成転換フラグまたはＳ−ＳＦＨ適用保留指示子を「１」に設定する。一方、前記変更カウントの現在値に対応されるシステム構成を適用しようとする場合、前記基地局はステップ３１３に進めて前記構成転換フラグを「０」に設定する。前記構成転換フラグまたは前記Ｓ−ＳＦＨ適用保留指示子は、適用されるシステム構成がどれなのかを示すパラメータであって、前記Ｐ−ＳＦＨに含まれる。以下に説明の便宜上、本発明は前記パラメータを構成転換フラグと称する。
【００６２】
以後、前記基地局はステップ３１５に進めてＳＰｘを送信する必要があるかを判断する。例えば、各ＳＰｘは固有の周期によって送信され得る。この場合、前記基地局は各ＳＰｘの周期を確認し、送信周期が到来したかを判断する。他の例として、特定ＳＰｘが更新された場合、更新と共に送信されるか、または更新以後に一定フレーム経過の後に送信されることがある。もし、同時に複数のＳＰｘが変更された場合、前記複数のＳＰｘは、一つのサブフレームを介して送信されることができないので、複数のスーパーフレームにかけて送信される。この場合、前記基地局はスーパーフレーム毎にＳＰｘを順次に送信する必要があることを判断する。
【００６３】
もし、前記ＳＰｘの送信が必要でなければ、前記基地局はステップ３１７に進めてスーパーフレームヘッダを介してＰ−ＳＦＨを送信する。ここで、前記Ｐ−ＳＦＨは前記変更カウント、前記変更ビットマップ、前記構成転換フラグ及びスケジューリング情報ビットマップを含む。この際、前記スケジューリング情報ビットマップは、ＳＰｘが送信されてないことを示す値として設定される。
【００６４】
一方、前記ＳＰｘの送信が必要であれば、前記基地局はステップ３１９に進めて前記スケジューリング情報ビットマップを設定する。前記スケジューリング情報ビットマップは、システムで使用されるＳＰｘの個数ほどの長さを有するビット列であって、ＳＰｘを送信する際に送信されるＳＰｘに対応される位置の値が「１」に設定される。即ち、前記基地局は端末がＳＰｘをデコーディングできるよう前記スケジューリング情報ビットマップを利用してＳＰｘが送信されること及び該当ＳＰｘの指定情報を生成する。
【００６５】
前記スケジューリング情報ビットマップを設定した後、前記基地局はステップ３２１に進めてスーパーフレームヘッダを介して変更カウントの現在値に対応されるＳＰｘ及びＰ−ＳＦＨを送信する。ここで、前記Ｐ−ＳＦＨは前記変更カウント、前記変更ビットマップ、前記構成転換フラグ及び前記スケジューリング情報ビットマップを含む。
【００６６】
図６は、本発明の実施例による広帯域無線通信システムにおける端末のシステム情報獲得の手順を図示している。
【００６７】
前記図６に示すように、前記端末は、ステップ４０１でスーパーフレームの開始時点が到来しているかを確認する。言い換えると、前記端末はスーパーフレームヘッダを送信するべき時点が到来しているかを確認する。
【００６８】
前記スーパーフレームの開始時点が到来した場合、前記端末はステップ４０３に進めてＰ−ＳＦＨをデコーディングする。前記Ｐ−ＳＦＨは、予め定められたコーディング方式でコーディングされ、前記スーパーフレームヘッダの予め定められた位置を介して受信されるので、前記端末は別の割当情報なしにも前記Ｐ−ＳＦＨのデコーでインを行える。前記Ｐ−ＳＦＨをデコーディングすることで前記端末はシステム情報、変更カウント、変更ビットマップ、スケジューリング情報ビットマップ及び適用されるシステム構成を示すパラメータを獲得する。ここで、前記適用されるシステム構成を示すパラメータは、構成転換フラグまたはＳ−ＳＦＨ適用保留指示子と呼ばれてもよい。以下に説明の便宜上、本発明は前記パラメータを構成転換フラグと称する。
【００６９】
前記Ｐ−ＳＦＨをデコーディングした後、前記端末はステップ４０５に進めて前記変更カウントが増加したかを確認する。即ち、前記端末は以前に受信されたＰ−ＳＦＨに含まれた変更カウント及び現在受信されたＰ−ＳＦＨに含まれた変更カウントを比較し、前記変更カウントが増加したかを確認する。もし、前記変更カウントが増加していなければ、前記端末はステップ４０９に進む。
【００７０】
一方、前記変更カウントが増加した場合、前記端末はステップ４０７に進めて前記変更ビットマップを介して更新された少なくとも一つのＳＰｘを確認する。即ち、前記変更カウントの増加は、少なくとも一つのＳＰｘの更新を意味する。従って、増加された変更カウントを介して少なくとも一つのＳＰｘの更新を認知した前記端末は、Ｐ−ＳＦＨに含まれた変更ビットマップを介して更新されたＳＰｘがどれなのかを確認する。この際、前記変更ビットマップを介して更新されたＳＰｘの表示は、更新されたＳＰｘに対応されるビットがトグル（ｔｏｇｇｌｅ）されるか、または更新を示す値として設定されることで行われる。前記トグルされる方式の場合、前記端末は以前に受信されたＰ−ＳＦＨに含まれた変更ビットマップ対比トグルされたビットの位置を確認することで、更新されたＳＰｘがどれなのかを確認する。一方、前記値の設定である場合、前記端末は該当値（例：「１」）に設定されたビットの位置を確認することで、更新されたＳＰｘがどれなのかを確認する。
【００７１】
前記更新された少なくとも一つのＳＰｘを確認した後、前記端末はステップ４０９に進めてセーブしてない限り、ＳＰｘが送信されたかを確認する。前記ＳＰｘの送信可否は前記スケジューリング情報ビットマップを介して確認される。即ち、前記端末は前記スケジューリング情報ビットマップにおいて「１」に設定されたビットがあるか否かを介して前記ＳＰｘの送信可否を判断して前記ＳＰｘが送信される場合、前記「１」に設定されたビットの位置を介してどのＳＰｘが送信されるかを判断する。そして、前記端末は送信されるＳＰｘを変更カウントの現在値の状態でデコーディング及びセーブの可否を確認する。もし、セーブされてない限り、ＳＰｘが送信されなければ、前記端末はステップ４１３に進む。
【００７２】
一方、セーブされてない限りＳＰｘが送信されると、前記端末はステップ４１１に進めて前記ＳＰｘをデコーディングした後、前記ＳＰｘに含まれたシステム情報をセーブする。この際、更新されたＳＰｘの適用が後に行われる可能性かあるので、前記端末は更新前のＳＰｘの廃棄はしない。即ち、前記端末はＳＰｘを前記変更カウントの値に応じて分類しセーブする。よって、前記端末は少なくとも２つのシステム情報、つまり、変更カウントの現在値に対応されるシステム情報及び変更カウントの以前値に対応されるシステム情報を各々セーブする。
【００７３】
続いて前記端末はステップ４１３に進めて、このスーパーフレームで変更カウントの以前値に対応されるシステム構成が適用されるかを確認する。この際、本発明の実施例によって、前記変更カウントの以前値に対応されるシステム構成の適用可否は、前記構成転換フラグを介して確認される。一方、本発明の他の実施例によって、前記端末は前記構成転換フラグを利用しなくて予め定められた条件によって前記変更カウントの以前値に対応されるシステム構成の適用可否を判断し得る。例えば、前記変更カウントが増加した以後、少なくとも一つの更新のＳＰｘの送信がＮ回以上に行われたという条件が達成されると、前記変更カウントの現在値に対応されるシステム構成が適用される場合、前記端末は前記ステップ４０７で更新された少なくとも一つのＳＰｘを確認した後、前記更新された少なくとも一つのＳＰｘの次の送信時点を計算する。そして、前記端末は前記更新された少なくとも一つのＳＰｘがＮ回送信されるスーパーフレームまで前記変更カウントの以前値に対応されるシステム構成を適用することを判断する。この際、前記ＮはＳＰ１またはＳＰ２の場合に２、ＳＰ３の場合に１であってもよい。
【００７４】
もし、前記変更カウントの以前値に対応されるシステム構成が適用されると、前記端末はステップ４１５に進めて変更カウントの以前値に対応されるシステム構成を適用して通信を行う。言い換えると、前記端末は変更カウントが現在値に増加される前に受信されたＳＰｘに従うシステム構成によって通信を行う。
【００７５】
一方、前記変更カウントの以前値に対応されるシステム構成が適用されないと、言い換えると、変更カウントの現在値に対応されるシステム構成が適用されると、前記端末はステップ４１７に進めて変更カウントの現在値に対応されるＳＰｘを全てセーブしたかを確認する。
【００７６】
もし、前記変更カウントの現在値に対応されるＳＰｘを全てセーブしたら、前記端末はステップ４１９に進めて変更カウントの現在値に対応されるシステム構成を適用して通信を行う。
【００７７】
一方、前記変更カウントの現在値に対応されるＳＰｘを全てセーブしてない場合、前記端末はステップ４２１に進めて変更カウントの現在値に対応されるＳＰｘの受信を待機する。言い換えると、前記端末は前記変更カウントが現在値に対応されるＳＰｘを全てセーブするまで通信を中断する。
【００７８】
図７は、本発明の実施例による広帯域無線通信システムにおける基地局のブロック構成を図示している。
【００７９】
前記図７に示すように、前記基地局はシステム情報決定機５０２、Ｐ−ＳＦＨ生成機５０４、Ｓ−ＳＦＨ生成機５０６、副搬送波マッピング機５０８、ＯＦＤＭ変調機５１０及びＲＦ（Ｒａｄｉｏ  Ｆｒｅｑｕｅｎｃｙ）送信機５１２を含めて構成される。
【００８０】
前記システム情報決定機５０２は、端末に提供されるシステム情報を決定する。即ち、前記システム情報決定機５０２は、Ｐ−ＳＦＨ及びＳ−ＳＦＨに含まれるパラメータの値を決定する。前記システム情報決定機５０２は、システム設定の変更を反映して前記システム情報を更新し、システム情報の更新を前記Ｐ−ＳＦＨ生成機５０４及び前記Ｓ−ＳＦＨ生成機５０６に提供する。
【００８１】
特に、前記システム情報決定機５０２は、ＳＰｘの更新可否に応じて前記変更カウント及び前記変更ビットマップを設定し、ＳＰｘの送信可否に応じて前記スケジューリング情報ビットマップを設定する。また、前記システム情報決定機５０２は、変更カウントの以前値に対応されるシステム構成の適用可否に応じて前記構成転換フラグを設定する。ここで、前記変更カウントの以前値に対応されるシステム構成を適用するか否かに対する判断基準は、具体的な実施例によって異なり得る。例えば、前記基地局に接続された端末が更新されたＳＰｘを全て受信したという条件、前記変更カウントが増加した後に少なくとも一つの更新のＳＰｘの送信がＮ回以上あったという条件、及び前記変更カウントの増加から所定個数のスーパーフレームが経過したという条件のうち少なくとも一つに満足する場合、前記システム情報決定機５０２は前記変更カウントの現在値に対応するシステム構成を適用することを決定する。
【００８２】
前記Ｐ−ＳＦＨ生成機５０４は、システム情報、変更カウント、変更ビットマップ、スケジューリング情報ビットマップ及び構成転換フラグを含むＰ−ＳＦＨを生成する。前記Ｐ−ＳＦＨは、スーパーフレームヘッダを介して送信されるので、前記Ｐ−ＳＦＨ生成機５０４はスーパーフレームの開始時点で前記Ｐ−ＳＦＨを生成する。前記Ｓ−ＳＦＨ生成機５０６はシステム情報を含むＳＰｘを生成する。前記ＳＰｘは各々の固有周期または定められた規則に従って選択的に送信されるので、前記Ｓ−ＳＦＨ生成機５０６は送信時点が到来すると前記ＳＰｘを生成する。
【００８３】
前記副搬送波マッピング機５０８は、送信信号を資源にマッピングする。特に、前記副搬送波マッピング機５０８は前記Ｐ−ＳＦＨ生成機５０４から提供されるＰ−ＳＦＨ及び前記Ｓ−ＳＦＨ５０６から提供されるＳＰｘスーパーフレームヘッダ内にマッピングする。前記ＯＦＤＭ変調機５１０はＩＦＦＴ（Ｉｎｖｅｒｓｅ  Ｆａｓｔ  Ｆｏｕｒｉｅｒ  Ｔｒａｎｓｆｏｒｍ）演算を介して周波数領域にマッピングされた信号を時間領域信号に変換し、ＣＰ（Ｃｙｃｌｉｃ  Ｐｒｅｆｉｘ）を挿入することによってＯＦＤＭシンボルを生成する。前記ＲＦ送信機５１２は、前記ＯＦＤＭシンボルをＲＦ帯域の信号でアップリンク変換した後、信号を増幅してアンテナを介して送信する。
【００８４】
図８は、本発明の実施例による広帯域無線通信システムにおける端末のブロック構成を図示している。
【００８５】
前記図８に示すように、前記端末はＲＦ受信機６０２、ＯＦＤＭ復調機６０４、副搬送波デマッピング機６０６、Ｐ−ＳＦＨ解析機６０８、Ｓ−ＳＦＨ解析機６１０、システム情報管理機６１２及び制御機６１４を含めて構成される。
【００８６】
前記ＲＦ受信機６０２は、アンテナを介して受信されるＲＦ帯域信号を増幅し、基底帯域信号にダウンリンク変換する。前記ＯＦＤＭ変調機６０４は、前記ＲＦ受信機６０２からの信号をＯＦＤＭシンボル単位に分割し、ＦＦＴ（Ｆａｓｔ  Ｆｏｕｒｉｅｒ  Ｔｒａｎｓｆｏｒｍ）演算を介して周波数領域にマッピングされた信号を復元する。前記副搬送波デマッピング機６０６は、前記周波数領域にマッピングされた信号を処理単位に分類する。例えば、前記処理単位はトラフィックバースト、メッセージ等を挙げられ得る。
【００８７】
前記Ｐ−ＳＦＨ解析機６０８は、基地局から受信されるＰ−ＳＦＨを復調及びデコーディングすることでシステム情報を獲得し、獲得されたシステム情報を前記システム情報管理機６１２に提供する。また、前記Ｐ−ＳＦＨ解析機６０８は前記Ｐ−ＳＦＨから変更カウント、変更ビットマップ、スケジューリング情報ビットマップ及び構成転換フラグなどのパラメータを獲得して前記パラメータを前記システム情報管理機６１２に提供する。前記Ｓ−ＳＦＨ解析機６１０は基地局から受信されるＳＰｘを復調及びデコーディングすることでシステム情報を獲得し、獲得されたシステム情報を前記システム情報管理機６１２に提供する。
【００８８】
前記システム情報管理機６１２は、前記Ｐ−ＳＦＨ解析機６０８及び前記Ｓ−ＳＦＨ解析機６１０から提供されるシステム情報をセーブして前記端末の動作のために前記システム情報を前記制御機６１４に提供する。特に、前記システム情報管理機６１２は、前記変更カウント、前記変更ビットマップ、前記スケジューリング情報ビットマップ及び前記構成転換フラグを用いて現在システムで適用中のシステム構成を反映するようにセーブされたシステム情報を提供する。前記制御機６１４は、前記端末の動作のための機能を制御する。特に、前記制御機６１４は前記システム情報管理機６１２から提供されるシステム情報によって通信を行うように制御する。
【００８９】
前記システム情報の管理のための前記システム情報管理機６１２の動作は、以下の通りである。前記システム情報管理機６１２は、前記変更カウントの増加を介してＳＰｘの更新を確認し、前記変更ビットマップを介して更新されたＳＰｘを識別する。更新されたＳＰｘが識別されると、前記システム情報管理機６１２は前記スケジューリング情報ビットマップを介してセーブしない限りＳＰｘが送信されるかを確認し、セーブされない限りＳＰｘが送信されると前記ＳＰｘをデコーディングするよう前記Ｓ−ＳＦＨ解析機６１０を制御する。そして、前記Ｓ−ＳＦＨ解析機６１０から更新されたＳＰｘに含まれたシステム情報が提供されると、前記システム情報管理機６１２は前記システム情報をセーブする。この際、更新されたＳＰｘの適用が後に行われる可能性かあるので、前記端末は更新前のＳＰｘの廃棄はしない。即ち、前記システム情報管理機６１２は少なくとも２つのシステム情報、つまり、変更カウントの現在値に対応されるシステム情報及び変更カウントの以前値に対応されるシステム情報を各々セーブし、適用されるシステム構成によって該当システム情報を前記制御機６１４に提供する。具体的にみると、前記システム情報管理機６１２は前記Ｐ−ＳＦＨ解析機６０８から提供される構成転換フラグを利用して変更カウントの以前値に対応されるシステム構成が提供されるか、または変更カウントの現在値に対応されるシステム情報が適用されるか否かを判断して適用されるシステム構成によるシステム情報を前記制御機６１４に提供する。ただ、本発明の他の実施例によって、前記システム情報管理機６１２は前記構成転換フラグを利用しなくて予め定められた条件に従って前記変更カウントの以前値に対応されるシステム構成の適用可否を判断してもよい。例えば、前記変更カウントが増加した以後、少なくとも一つの更新のＳＰｘの送信がＮ回以上に行われたという条件が達成されると、前記変更カウントの現在値に対応されるシステム構成が適用される場合、前記システム情報管理機６１２は前記変更ビットマップを介して更新された少なくとも一つのＳＰｘを確認した後、前記更新された少なくとも一つのＳＰｘの次の送信時点を計算する。そして、前記システム情報管理機６１２は、前記更新された少なくとも一つのＳＰｘがＮ回送信されるスーパーフレームまで前記変更カウントの以前値に対応されるシステム構成を適用することを判断する。この際、前記ＮはＳＰ１またはＳＰ２の場合に２、ＳＰ３の場合に１であってもよい。
【００９０】
広帯域無線通信システムで更新されたシステム情報の適用時点を端末に知らせることで、システム情報の未受信による動作不可状態を最小化することができる。特に、アイドルモード（ｉｄｌｅ  ｍｏｄｅ）またはスリップモード（ｓｌｅｅｐ  ｍｏｄｅ）などのようにしばらく通信を中断していてから再開した端末において、本発明はシステム情報の変更を認知し変更されたシステム情報の適用時点を知るための効果的な方案となる。
【００９１】
一方、本発明の詳細な説明では具体的な実施例に関して説明したが、本発明の範囲を逸脱しない範囲内で多様な変形が可能であることはもちろんである。従って、本発明の範囲は説明された実施例に限って決められてはならず、後述する特許請求の範囲だけでなく、この特許請求の範囲と均等なものによって決められるべきである。
【符号の説明】
【００９２】
１００  スーパーフレーム
１１０  フレーム
１２０  サブフレーム
１３０  ＯＦＤＭシンボル
１４０  スーパーフレームヘッダ
６０２  RF受信機
６０４  OFDM復調機
６０６  副搬送波でマッピング機
６０８  P-SFH解析機
６１０  S-SFH解析機
６１２  システム情報管理機
６１４  制御機
【図１】
2013509018.tif 000008
【図２】
2013509018.tif 000009
【図３】
2013509018.tif 000010
【図４】
2013509018.tif 000011
【図５】
2013509018.tif 000012
【図６】
2013509018.tif 000013
【図７】
2013509018.tif 000014
【図８】
2013509018.tif 000015
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
無線通信システムにおける基地局の動作方法において、
Ｓ−ＳＦＨ（Ｓｅｃｏｎｄａｒｙ−Ｓｕｐｅｒ  Ｆｒａｍｅ  Ｈｅａｄｅｒ）のＳＰ（ＳｕｂＰａｃｋｅｔ）のうち少なくとも一つが更新されると、変更された少なくとも一つのＳＰの変更された内容（ｃｏｎｔｅｎｔｓ）を適用するか否かを判断する過程と、
前記更新された少なくとも一つのＳＰの内容を適用するか否かを示す指示子を含むＰ−ＳＦＨ（Ｐｒｉｍａｒｙ−Ｓｕｐｅｒ  Ｆｒａｍｅ  Ｈｅａｄｅｒ）を送信する過程と、を含むことを特徴とする方法。
【請求項２】
前記ＳＰのうち少なくとも一つが更新されると、前記ＳＰの更新に応じて変更される変更カウント（ｃｈａｎｇｅ  ｃｏｕｎｔ）の値を増加させる過程を更に含み、
前記変更カウントは、前記Ｐ−ＳＦＨを介して送信されることを特徴とする請求項１に記載の方法。
【請求項３】
前記更新された少なくとも一つのＳＰを識別するための変更ビットマップ（ｃｈａｎｇｅ  ｂｉｔｍａｐ）から前記更新された少なくとも一つのＳＰに対応される少なくとも一つのビットの値を変更する過程を更に含み、
前記変更ビットマップは、前記Ｐ−ＳＦＨを介して送信されることを特徴とする請求項２に記載の方法。
【請求項４】
前記更新された少なくとも一つのＳＰの変形された内容を適用するか否かを判断する過程は、
前記変更カウントが増加した後、更新されたＳＰが予め定義された回数ほど送信された場合、前記変更カウントの現在値に対応されるシステム構成を適用することを決定する過程を含むことを特徴とする請求項３に記載の方法。
【請求項５】
前記ＳＰは、お互い異なる送信周期を有するＳＰ１、ＳＰ２、ＳＰ３を含み、
前記ＳＰ１が更新される場合、更新されたＳＰ１の内容は、前記更新されたＳＰ１が２回送信されたスーパーフレームの次のスーパーフレームから適用され、
前記ＳＰ２が更新される場合、更新されたＳＰ２の内容は、前記更新されたＳＰ１が２回送信されたスーパーフレームの次のスーパーフレームから適用され、
前記ＳＰ３が更新される場合、更新されたＳＰ３の内容は、前記更新されたＳＰ１が２回送信されたスーパーフレームの次のスーパーフレームから適用されることを特徴とする請求項４に記載の方法。
【請求項６】
前記更新された少なくとも一つのＳＰの送信周期が到来すると、前記更新された少なくとも一つのＳＰを送信する過程を更に含むことを特徴とする請求項５に記載の方法。
【請求項７】
無線通信システムにおける端末の動作方法において、
スーパーフレームヘッダを介して受信されるＰ−ＳＦＨ（Ｐｒｉｍａｒｙ−Ｓｕｐｅｒ  Ｆｒａｍｅ  Ｈｅａｄｅｒ）に含まれる現在送信されるＳ−ＳＦＨ（Ｓｅｃｏｎｄａｒｙ−Ｓｕｐｅｒ  Ｆｒａｍｅ  Ｈｅａｄｅｒ）のＳＰ（ＳｕｂＰａｃｋｅｔ）の内容を適用するか否かを示す指示子及び前記ＳＰのうち少なくとも一つの更新に応じて変更される変更カウント（ｃｈａｎｇｅ  ｃｏｕｎｔ）を受信する過程と、
前記指示子の値が第１値である場合、現在送信されるＳＰの内容を使用する過程と、
前記指示子の値が第２値である場合、前記変更カウントの以前値に対応されるＳＰの内容を使用する過程と、を含むことを特徴とする方法。
【請求項８】
前記Ｐ−ＳＦＨに含まれる更新された少なくとも一つのＳＰを識別するための変更ビットマップ（ｃｈａｎｇｅ  ｂｉｔｍａｐ）を受信する過程を更に含むことを特徴とする請求項７に記載の方法。
【請求項９】
前記変更カウント、前記変更ビットマップ、前記指示子を用いて前記ＳＰに含まれるシステム情報を更新するか否かを判断する過程を更に含むことを特徴とする請求項８に記載の方法。
【請求項１０】
前記変更カウント、前記変更ビットマップ、前記指示子を用いて前記ＳＰに含まれるシステム情報を更新するか否かを判断する過程は、
以前変更カウントの値及び現在変更カウント値を比較する過程と、
前記以前変更カウントの値及び前記現在変更カウント値の差が０であれば、前記変更カウントの値が変更しない間に受信されるＳＰを廃棄（ｄｉｓｃａｒｄ）する過程と、
前記以前変更カウントの値及び前記現在変更カウント値の差が１であれば、前記変更ビットマップから値が変更されたビットに対応されるＳＰに含まれるシステム情報の内容を更新する過程と、
前記以前変更カウントの値及び前記現在変更カウント値の差が２以上であれば、全てのＳＰに含まれるシステム情報の内容を更新する過程と、を更に含む請求項９に記載の方法。
【請求項１１】
無線通信システムにおける基地局装置において、
Ｓ−ＳＦＨ（Ｓｅｃｏｎｄａｒｙ−Ｓｕｐｅｒ  Ｆｒａｍｅ  Ｈｅａｄｅｒ）のＳＰ（ＳｕｂＰａｃｋｅｔ）のうち少なくとも一つが更新されると、変更された少なくとも一つのＳＰの変更された内容（ｃｏｎｔｅｎｔｓ）を適用するか否かを判断する決定機と、
前記更新された少なくとも一つのＳＰの内容を適用するか否かを示す指示子を含むＰ−ＳＦＨ（Ｐｒｉｍａｒｙ−Ｓｕｐｅｒ  Ｆｒａｍｅ  Ｈｅａｄｅｒ）を送信する送信機と、を含むことを特徴とする装置。
【請求項１２】
前記決定機は、前記ＳＰのうち少なくとも一つが更新されると、前記ＳＰの更新に応じて変更される変更カウント（ｃｈａｎｇｅ  ｃｏｕｎｔ）の値を増加させ、
前記変更カウントは、前記Ｐ−ＳＦＨを介して送信されることを特徴とする請求項１１に記載の装置。
【請求項１３】
前記決定機は、前記更新された少なくとも一つのＳＰを識別するための変更ビットマップ（ｃｈａｎｇｅ  ｂｉｔｍａｐ）から前記更新された少なくとも一つのＳＰに対応される少なくとも一つのビットの値を変更し、
前記変更カウントは、前記Ｐ−ＳＦＨを介して送信されることを特徴とする請求項１２に記載の装置。
【請求項１４】
前記決定機は、前記変更カウントが増加した後、更新されたＳＰが予め定義された回数ほど送信された場合、前記変更カウントの現在値に対応されるシステム構成を適用することを決定することを特徴とする請求項１３に記載の装置。
【請求項１５】
前記ＳＰは、お互い異なる送信周期を有するＳＰ１、ＳＰ２、ＳＰ３を含み、
前記ＳＰ１が更新される場合、更新されたＳＰ１の内容は、前記更新されたＳＰ１が２回送信されたスーパーフレームの次のスーパーフレームから適用され、
前記ＳＰ２が更新される場合、更新されたＳＰ２の内容は、前記更新されたＳＰ１が２回送信されたスーパーフレームの次のスーパーフレームから適用され、
前記ＳＰ３が更新される場合、更新されたＳＰ３の内容は、前記更新されたＳＰ１が２回送信されたスーパーフレームの次のスーパーフレームから適用されることを特徴とする請求項１４に記載の装置。
【請求項１６】
前記送信機は、前記更新された少なくとも一つのＳＰの送信周期が到来すると、前記更新された少なくとも一つのＳＰを送信することを特徴とする請求項１５に記載の装置。
【請求項１７】
無線通信システムにおける端末装置において、
スーパーフレームヘッダを介して受信されるＰ−ＳＦＨ（Ｐｒｉｍａｒｙ−Ｓｕｐｅｒ  Ｆｒａｍｅ  Ｈｅａｄｅｒ）に含まれる現在送信されるＳ−ＳＦＨ（Ｓｅｃｏｎｄａｒｙ−Ｓｕｐｅｒ  Ｆｒａｍｅ  Ｈｅａｄｅｒ）のＳＰ（ＳｕｂＰａｃｋｅｔ）の内容を適用するか否かを示す指示子及び前記ＳＰのうち少なくとも一つの更新に応じて変更される変更カウント（ｃｈａｎｇｅ  ｃｏｕｎｔ）を受信する受信機と、
前記指示子の値が第１値である場合、現在送信されるＳＰの内容を使用して、前記指示子の値が第２値である場合、前記変更カウントの以前値に対応されるＳＰの内容を使用する管理機と、を含むことを特徴とする装置。
【請求項１８】
前記受信機は、前記Ｐ−ＳＦＨに含まれる更新された少なくとも一つのＳＰを識別するための変更ビットマップ（ｃｈａｎｇｅ  ｂｉｔｍａｐ）を受信することを特徴とする請求項１７に記載の装置。
【請求項１９】
前記管理機は、前記変更カウント、前記変更ビットマップ、前記指示子を用いて前記ＳＰに含まれるシステム情報を更新するか否かを判断することを特徴とする請求項１８に記載の装置。
【請求項２０】
前記管理機は、以前変更カウントの値及び現在変更カウント値を比較した後、前記以前変更カウントの値及び前記変更カウント値の差が０であれば、前記変更カウントの値が変更してない間に受信されるＳＰを廃棄（ｄｉｓｃａｒｄ）して、前記以前変更カウントの値及び前記現在変更カウント値の差が１であれば、前記変更ビットマップから値が変更されたビットに対応されるＳＰに含まれるシステム情報の内容を更新して、前記以前変更カウントの値及び前記現在変更カウント値の差が２以上であれば、全てのＳＰに含まれるシステム情報の内容を更新することを特徴とする請求項１９に記載の装置。
【国際調査報告】
2013509018.tif 000016
2013509018.tif 000017